(57)【要約】      （修正有）【課題】内部の空気を通りやすくすることができ、下着に蒸れが生じるのを防止する男性用通気性トランクスの提供。【解決手段】男性用通気性トランクス１は、トランクス本体１１および前開き１２を含む。トランクス本体１１は２つの脚部１１１を有する。前開き１２は、トランクス本体１１の中央に設けられ、前開き１２の長さは、トランクス本体１１の全長の三分の一である。２つの脚部１１１の前開きに近い位置に通気口１１２が設けられ、さらに前開き１２部分に少なくとも１つの固定部品１２１が設けられる。【選択図】図１
0003201250.tif 000002
【実用新案登録請求の範囲】
【請求項１】
２つの脚部を有するトランクス本体と該トランクス本体の前側中央に設けられる前開きを含み、該前開きの長さが、該トランクス本体の全長の三分の一であり、該２つの脚部の該前開きに近い位置に、それぞれ通気口が設けられ、さらに該前開き部分に少なくとも１つの固定部品が設けられる、男性用通気性トランクス。
【請求項２】
該固定部品の数量が、好ましくは２個から４個である、請求項１に記載の男性用通気性トランクス。
【請求項３】
該固定部品がボタン、各種結合部品、面ファスナーまたはスナップボタンである、請求項１に記載の男性用通気性トランクス。
【考案の詳細な説明】
【技術分野】
【０００１】
本考案は、男性用通気性トランクスの技術に関し、特に、蒸れ感が生じるのを防止することができ、着用時に通気性がより良く、快適である男性用通気性トランクスに関する。
【背景技術】
【０００２】
従来の男性用トランクスのまち部分は脚部分とつながり、前開きの長さは、全体の長さの約三分の一であり、より短いことさえある。多くの着用者の体型は同じではなく、むしろ、その違いは非常に大きいが、前開きの長さには融通性がなく、それぞれの体型の着用者を満足させることができない。他にも、たとえ下着のサイズが違っていたとしても、前開きの長さの違いは大きくなく、着用者が快適に着用するために大きいサイズのトランクスを選択したとしても、前開きの長さはやはり同じように短く、中央の上側に位置する。このように、やはり蒸れ、通気性が悪いという感覚が生じやすい。
【０００３】
また、前開きの長さおよび位置が着用時の通気性に影響を及ぼす以外に、前開きの長さが短すぎるか、または位置が高すぎる場合、窮屈感が生じることがある。着用者の脚の開閉幅が制限されることもあり、歩行、ストレッチまたは運動に不便である。快適感および運動性の間でバランスを取ることができず、さらには、前開きの縫い目が裂け易くなり、廃棄しなければならなくなる。さらに、下着の脚部分の内側と着用者の太ももの内側とが擦れて、皮がむけ、赤く腫れ、湿疹が生じやすくなる。このように、従来の設計方式は、各種欠点が多く、着用者が使用するのに不便である。
【０００４】
したがって、着用後に、前開きの開く長さを着用者が自ら調整することができ、前開き位置の空間をより大きくし、着用時に通気性がより良く、蒸れず、さらに、歩行、長時間の着座、または運動に関わらず、窮屈感を感じることはなく、着用時に通気性がより良く、快適であるものを如何して作るかが、本考案が積極的に開示しようとする部分である。
【考案の概要】
【考案が解決しようとする課題】
【０００５】
本考案の目的は、男性用通気性トランクスを提供することである。本考案の男性用通気性トランクスは、全長が全体の長さの約三分の一である前開きが提供され、前開きはトランクス本体の前側中央に位置する。さらに、２つの脚部の前開きに近い位置に通気口が設けられ、トランクス本体の前開きの位置がより広々とし、外部の空気が通りやすくなる。さらに、前開きに複数の固定部品が設けられ、着用者は自分の着用習慣に基づいて、固定部品の開閉を調整することができ、着用者は通気性がより良く感じられ、より快適である。
【課題を解決するための手段】
【０００６】
上記目的を達成するため、本考案は、トランクス本体および前開きを含む、男性用通気性トランクスを提供する。トランクス本体は、トランクス本体の前側中央以下に設けられる２つの脚部を有し、前開きの長さは、トランクスフ本体の全長の三分の一である。２つの脚部の該前開きに近い位置に通気口が設けられ、さらに前開き部分に少なくとも１つの固定部品が設けられる。
【０００７】
好ましい実施例において、固定部品の数量は、好ましくは２個から４個である。固定部品はボタン、各種結合部品でよく、面ファスナーまたはスナップボタンなどを含むが、これに限定されない。
【０００８】
従来技術と比較して、本考案の男性用通気性トランクスは、主にトランクス本体の前側中央に、開閉の長さを自分で調整することができる前開きが設けられるため、前開きの開口範囲が大きく、通気性および快適性を明らかに向上させることができる。２つの脚部の該前開きに近い位置に通気口が設けられ、前開き位置がより広々とし、通気性が良くなる。さらに、前開きはトランクス本体の前側に位置するため、着用者は自分の需要に応じて、固定部品を開閉する長さを便利に調整することができ、全体の実用性および利便性をより向上させることができる。
【図面の簡単な説明】
【０００９】
【図１】図１は、本考案の男性用通気性トランクスにおける好ましい実施例の立体構造の概要図である。
【図２】図２は、本考案の男性用通気性トランクスにおける好ましい実施例の前開きを結合した立体構造の概要図である。
【図３】図３は、本考案の男性用通気性トランクスにおける好ましい実施例の背面の立体外観図である。
【考案を実施するための形態】
【実施例】
【００１０】
以下に、特定の具体的実施例により本考案の実施方式を説明する。当業者は、本明細書に開示する内容から、本考案のその他の利点および効果を容易に理解することができる。
【００１１】
以下に、図を参照して本考案の実施例を説明する。注意すべきこととして、以下の図は簡略化した概要図であり、概要的に本考案の基本的な構想を説明したに過ぎない。図中には本考案と関係する構造のみを例示しており、実際に実施するときの部品の数、形状およびサイズに基づかずに製図している。その実際に実施するときの各部品の形態、数量および比率は、図に制限されず、実際の設計の需要に基づいて変えることができる。
【００１２】
図１、図２、図３を参照されたい。図１、図２および図３に示すのは、本考案の男性用通気性トランクスにおける好ましい実施例の立体構造の概要図、前開きを結合した立体構造の概要図、および背面の立体外観図である。図に示すように、本考案の男性用通気性トランクス１は、トランクス本体１１および前開き１２を含む。トランクス本体１１は２つの脚部１１１を有する。前開き１２はトランクス本体１１の前側中央に設けられ、前開き１２の長さは、該トランクス本体１１の全長の三分の一である。２つの脚部１１１の前開き１２に近い位置に通気口１１２が設けられ、さらに前開き１２部分に少なくとも１つの固定部品１２１が設けられる。
【００１３】
本実施例において、固定部品１２１の数は、好ましくは２個から４個であり、図中に示すのは２個の固定部品１２１である。固定部品１２１はボタン、各種結合部品でよく、面ファスナーまたはスナップボタンなどを含むが、これに限定されない。固定部品１２１の位置の表面にカバー布を１枚設けたため、固定部品を結合した後、外から固定部品１２１が見えることはなく（図２に示す）、全体的な外観をより美しくすることができる。
【００１４】
上記構造により、着用時に両足をトランクス本体１１の脚部１１１に挿入した後、上部を着用者の腰部まで引っ張り、さらに着用者の需要に応じて前開き１２の固定部品１２１を結合して、着用者の需要に最も符合するまちの高さが形成される。
【００１５】
図３に示すように、トランクス本体１１の前開き１２の構造設計により、通気口１１２が１つ形成され、全体の通気性が向上する。
【００１６】
従来技術と比較して、本考案の男性用通気性トランクスは、主にトランクス本体の前側中央に前開きが設けられ、この前開きの長さはトランクス全体の約三分の一を占める。他にも通気口が設けられて、内部空間が大きくなるため、通気性および快適性を明らかに向上させることができ、より窮屈感を感じることはない。さらに、前開きはトランクス本体の前側に位置するため、着用者は自分の需要に応じて固定部品の開閉する長さを便利に調整することができる。様々な着用者の需要に対応して前開きの開閉範囲の調整を行い、全体の実用性および利便性をより向上させることができる。
【００１７】
前記の説明および図により、本考案の好ましい実施例をすでに開示した。しかし、各種の添加、多くの修正および置換は、本考案の好ましい実施例に用いることができるが、添付の実用新案登録請求の範囲で画定される本考案の原理の主旨および範囲を逸脱しないことを理解しなければならない。当業者は、本考案が多くの形式、構造、配置、比率、材料、部品および構成部品の修正に用いることができることを理解することができる。したがって、本文によりここに開示される実施例は、本考案を説明するためのものであるとみなされなければならず、本考案を制限するものではない。本考案の範囲は、後に添付する実用新案登録請求の範囲により画定されなければならず、その合法的な均等物を包含しており、上記の説明に制限されない。
【符号の説明】
【００１８】
１     男性用通気性トランクス
１１   トランクス本体
１１１  脚部
１１２  通気口
１２    前開き
１２１  固定部品
【図１】
0003201250.tif 000003
【図２】
0003201250.tif 000004
【図３】
0003201250.tif 000005
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
２つの脚部を有するトランクス本体と該トランクス本体の前側中央に設けられる前開きを含み、該前開きの長さが、該トランクス本体の全長の三分の一であり、該２つの脚部の該前開きに近い位置に、それぞれ通気口が設けられ、さらに該前開き部分に、該前開きの両側同士を固定する少なくとも１つの固定部品が設けられる、男性用通気性トランクス。
【請求項２】
該固定部品の数量が、２個から４個である、請求項１に記載の男性用通気性トランクス。
【請求項３】
該固定部品がボタン、各種結合部品、面ファスナーまたはスナップボタンである、請求項１に記載の男性用通気性トランクス。